(57)【要約】スポーツ・シューズ用のシューズ・スタッド（１、１０１）は、地面に食い込む部分およびシューズ・ソールあるいはヒールに固定されたレセプタクル（２、１０２）の相補的なソケット（３７、１３７）と噛み合う多条ネジ山付きスピゴット（５、１０５）を有する。スタッドとレセプタクルはまた、ネジがゆるんで外れるのを阻止するために、スピゴットがソケットに完全に挿入されたときに互いに噛み合いロックする仕組みを有する。スタッドが回転対称でない場合に必要とされる可能性があるように、レセプタクルに対する正確な位置を確実にスタッドに取らせるために、スタッドとレセプタクルは、レセプタクルに対するスタッドの最初の位置を決める手段（１１、１２；１１１、１１２）、およびレセプタクルに対するスタッドの最終の位置を決める手段（１３、１１３）を有する。最初の位置を、ネジ結合の、その他のものと異なる寸法のネジ山（１２、１１２）および相補的な溝（１１、１１１）により決定することができる。
2004513691.tif 000002
【特許請求の範囲】
【請求項１】
シューズ・スタッド（１、１０１）とレセプタクル（２、１０２）との２つのコンポーネントの組み合わせであって、シューズ・スタッドは地面に食い込む部分（４）を含み、また前記２つのコンポーネントは、２つのコンポーネントの一方にあるネジ山付きソケット（３７、１３７）に回転させて挿入するようになっている、他方のコンポーネントにあるネジ山付きスピゴット（５、１０５）を備えるネジ結合と、少なくともスピゴットが完全にソケットに挿入されてアセンブリを形成したときには、このアセンブリのネジがゆるむことを阻止するために、互いに噛み合う状態になるように配置されている、コンポーネントをロックする手段（１３、１１３）とにより互いに固定されるようになっており、スタッド（１、１０１）とレセプタクル（２、１０２）とが、レセプタクルに対するスタッドの最初の位置を決めるための手段（１１、１２；１１１、１１２）と、レセプタクルに対するスタッドの最終の位置を決める手段（１３、１１３）とを有することを特徴とする組み合わせ。
【請求項２】
ネジ結合が３条ネジ山であることを特徴とする請求項１に記載の組み合わせ。
【請求項３】
ネジ結合が６条ネジ山であることを特徴とする請求項１に記載の組み合わせ。
【請求項４】
レセプタクル（２、１０２）に対するスタッド（１、１０１）の最初の位置を決める手段が、前記ネジ結合により提供され、且つ、ネジ山（１２、１１２）および溝（１１、１１１）を備えており、該ネジ山および溝の一方は他方と異なる形態を有してそれぞれキー（１２、１１２）およびそれに相補的なキー溝（１１、１１１）となっていることを特徴とする前記請求項のいずれかに記載の組み合わせ。
【請求項５】
キーが、一方のコンポーネントの拡張されたネジ山（１１２）および他方のコンポーネントの対応する拡張された溝（１１１）を備えることを特徴とする請求項４に記載の組み合わせ。
【請求項６】
ネジ山（１１２）および溝（１１１）が半径方向に拡張されていることを特徴とする請求項５に記載の組み合わせ。
【請求項７】
キーが、一方のコンポーネントのブリッジ化ネジ山（１２）および他方のコンポーネントの除去されたネジ山（１１）を備えることを特徴とする請求項４に記載の組み合わせ。
【請求項８】
キー（１２、１１２）がレセプタクル（２、１０２）に備わり、またキー溝（１１、１１１）がスタッド（１、１０１）に備わることを特徴とする請求項４から７のいずれかに記載の組み合わせ。
【請求項９】
キー（１２、１１２）がスタッド（１、１０１）に備わり、またキー溝（１１、１１１）がレセプタクル（２、１０２）に備わることを特徴とする請求項４から７のいずれかに記載の組み合わせ。
【請求項１０】
ロックする手段（１３、１１３）が、スピゴット（５、１０５）をソケット（３７、１３７）に予め決められた軸方向の位置までねじ込んだとき相互に噛み合うように作用する、スタッドおよびレセプタクル上の、半径方向に面を向ける、ロックする構造体（１４、４２；１１４、１４０）を備えることを特徴とする前記請求項のいずれかに記載の組み合わせ。
【請求項１１】
ロックする構造体の一方が、少なくとも１つの半径方向の突起（１４）を備え、他方が、少なくとも、半径方向に面を向ける導入ランプ（４５）、リセス（４４）およびストップ手段（４２）を備えることを特徴とする請求項１０に記載の組み合わせ。
【請求項１２】
ロックする構造体が２つ備えられることを特徴とする請求項１０または１１に記載の組み合わせ。
【請求項１３】
２つのロックする構造体が互いに異なる直径上にあることを特徴とする請求項１２に記載の組み合わせ。
【請求項１４】
ロックする手段（１１３）が、一方のコンポーネントから軸方向に延びる複数の柱（１１４）からなるリングおよび他方のコンポーネント上で半径方向に突き出る複数の歯（１４０）からなるリングであるところのロックする構造体を備え、スピゴット（１０５）がソケット（１３７）に予め決められた軸方向の位置までねじ込まれたときに、歯（１４０）と柱（１１４）との噛み合いが柱に弾性的な反りを生じさせ、柱の間に歯が噛み合うことで、ロックする手段を相互に噛み合わせるように配置されていることを特徴とする請求項１から９のいずれかに記載の組み合わせ。
【請求項１５】
スタッド（１、１０１）が、特定の配向とされているスタッドであることを特徴とする前記請求項のいずれかに記載の組み合わせ。
【請求項１６】
多条ネジ山付きソケット（３７、１３７）をもつレセプタクル（２、１０２）を有するスタッド付き履物製品で用いられるスタッド（１、１０１）であって、ソケットのネジ山に対して相補的な多条ネジ山をもつスピゴット（５、１０５）を有し、スピゴット（５、１０５）を回転させてソケット（３７、１３７）に挿入することによりスタッド（１、１０１）がレセプタクル（２、１０２）に固定されるようになっており、スピゴット（５、１０５）が、らせんキー（１２、１１２）およびこれに相補的なキー溝（１１、１１１）の２つのコンポーネントのうちの一方のコンポーネントを有し、他方のコンポーネントはレセプタクルに設けられ、らせんキーおよびキー溝が、スピゴットをソケットに挿入し始めるときのレセプタクル（２、１０２）に対するスピゴット（５、１０５）の位置を定めるようになされていることを特徴とするスタッド。
【請求項１７】
キー溝（１１、１１１）がスピゴット（５、１０５）に設けられていることを特徴とする請求項１６に記載のスタッド。
【請求項１８】
キー溝（１１、１１１）が、スピゴット（５、１０５）上のネジ付きの溝（１１、１１１）を備え、該溝（１１、１１１）は、他の溝（１０、１１０）と寸法が異なることを特徴とする請求項１７のスタッド。
【請求項１９】
キー溝（１１、１１１）が、拡張された溝を備えることを特徴とする請求項１８に記載のスタッド。
【請求項２０】
溝（１１１）が半径方向に拡張されていることを特徴とする請求項１９に記載のスタッド。
【請求項２１】
拡張された溝（１１）が、ネジ山の除去により形作られることを特徴とする請求項１９に記載のスタッド。
【請求項２２】
スタッド（１、１０１）が、ロックする手段（１３、１１３）の一方のコンポーネントを含み、それに対して相補的な他方のコンポーネントはレセプタクル（２、１０２）に設けられていることを特徴とする請求項１６から２１のいずれかに記載のスタッド。
【請求項２３】
スタッド（１、１０１）が、特定の配向とされているスタッドであることを特徴とする請求項１６から２２に記載のスタッド。
【請求項２４】
スタッド付き履物製品に組み込むためのレセプタクル（２、１０２）であって、シューズ・スタッド（１、１０１）のスピゴット（５、１０５）を受け入れるようになっている多条ネジ山付きソケット（３７、１３７）を有し、スピゴットはソケットのネジ山に対して相補的な多条ネジ山を有し、スピゴット（５、１０５）を回転させてソケット（３７、１３７）に挿入することによりレセプタクルにスタッドが固定されるようになっており、レセプタクル（２、１０２）が、らせんキー（１２、１１２）およびこれに相補的なキー溝（１１、１１１）という２つのコンポーネントのうちの一方のコンポーネントを有し、他方のコンポーネントはスピゴットに設けられ、らせんキーおよびキー溝が、スピゴットをソケットに挿入し始めるときのレセプタクル（２、１０２）に対するスピゴット（５、１０５）の位置を定めるようになされていることを特徴とするレセプタクル。
【請求項２５】
キー（１２、１１２）がソケット（３７、１３７）に設けられることを特徴とする請求項２４に記載のレセプタクル。
【請求項２６】
キー（１２、１１２）が、ソケット（３７、１３７）上にネジ山（１２、１１２）を備えており、該ネジ山（１２、１１２）が他のネジ山と寸法が異なることを特徴とする請求項２５に記載のレセプタクル。
【請求項２７】
キー（１２、１１２）が、拡張されたネジ山を備えることを特徴とする請求項２６に記載のレセプタクル。
【請求項２８】
ネジ山（１１２）が半径方向に拡張されていることを特徴とする請求項２７に記載のレセプタクル。
【請求項２９】
拡張されたネジ山（１２）が、ブリッジ化ネジ山により形作られていることを特徴とする請求項２７に記載のレセプタクル。
【請求項３０】
レセプタクル（２、１０２）が、ロックする手段（１３、１１３）の一方のコンポーネントを有し、これに相補的な他方のコンポーネントはスタッド（１、１０１）上に設けられていることを特徴とする請求項２４から２９のいずれかに記載のレセプタクル。
【発明の詳細な説明】
【０００１】
本発明はスポーツ・シューズ、例えばフットボール・シューズおよびゴルフ・シューズなどのスタッド付き履物に関する。用語「フットボール」はフットボールとして知られているあらゆるスポーツ、例えばサッカー、ラグビーならびにアメリカンおよびオーストラリアン・フットボールなどを含むと解釈される。
【０００２】
スタッドは牽引摩擦（トラクション）を与えるためのものであり、関連するスポーツに適したタイプの、地面に食い込む部分を有する。したがって、傾向としてフットボール用のスタッドには比較的尖った、地面に突き刺さるスパイクが付いており、一方ゴルフ・シューズ用のスタッドには、現在は、いくつかの比較的柔らかくまた先端の鈍い、地面をグリップするスパイクが付いている。スタッドは、シューズ・ソールに作り込まれたか、あるいはその他の方法で固定されたレセプタクル内の、対応するネジ山付きソケットに嵌め込まれた、スタッド上のネジ山付きスピゴット（ｓｐｉｇｏｔ）により、取外し可能なように履物製品のソールに固定される。
【０００３】
大きな力が加えられたときでさえ、スタッドが適正な位置からずれないこと、また特にスタッドのネジが偶発的に外れることはないこと、が確実であるように、ネジ山による結合は設計されねばならない。既知のスタッドは一条ネジ山か多条ネジ山かのどちらかをもっている。一条ネジ山は最も簡単なネジ山の形であり、多条ネジ山よりネジが外れることに対する抵抗がより大きい。それはまたスピゴットとソケットとのネジ山の数巻き分（ターン）にわたって強い結合を与える。しかし、スタッドを取り付け取り外すのに要するターン数が多くなるために、取外しおよび付け替えは時間を要する操作となっている。多条ネジ山はより急勾配のらせん角をもつため、ある与えられた長さのスピゴットをより少ない回転数でソケットに挿入できる。また、多条ネジ山は一条ネジより深く溝が切られているので、ネジ山の剪断強度はより大きく、このためにより短いスピゴットを用いることができる。
【０００４】
一条ネジ山が用いられようとあるいは多条ネジ山が用いられようと、スタッドおよびソケットはまた、スタッドのネジが偶発的に外れることを防ぐためにロックするラチェットを組み込む。通常、スタッドおよびソケットはそれぞれ１組の歯をもち、スタッドがソケットに挿入されたとき、これが相互に噛み合う。歯の配置により、スタッドが完全に挿入されたときにスタッドはソケットに対するいくつかの位置のいずれか一つにあることができる。
【０００５】
このようなネジ山およびロックするラチェットは、ソールに対するスタッドの回転による配向が重要でない場合、全く適切である。事実、現行のほとんどのスタッドは円形であるかあるいは別の回転対称形であり、そしてそれらのシューズ・ソールに対する最終の配向は意味をもたない。
【０００６】
しかし、スタッドにかかる力が比較的大きくまた横方向の力あるいはシューズ着用者の前方への急速な加速による力など特定のタイプであるいくつかのスポーツでは、特定の配向とされたスタッドがより有効でありうる。（用語「特定の配向とされたスタッド」は、非回転対称形であるか、あるいは回転対称形であるが、シューズ・ソールに対するその配向が重要であるスタッドを含むものとして用いられる。）特定の配向とされたスタッドは、それを確実に望ましい仕方で作用させるためには、シューズ・ソールに対して非常に正確に配向されていなければならない。既知のネジ山およびロックするラチェットではこの正確な配向ができない。例えば、一条ネジ山は挿入開始時にスタッドを配向させるが、多数のターンとロックするラチェットは、その最終の位置を予測できないということを意味する。多条ネジ山は当然複数の開始位置を、ロックするラチェットは複数の最終位置を与える。
【０００７】
本発明は、そのソケットおよびレセプタクルに対して正確にスタッドを配向させることができるということが保証されることを目的とする；シューズ・ソールに対するレセプタクルの配向は当然必要であるが本発明の部分を構成しない。
【０００８】
本発明の第１の態様によれば、シューズ・スタッドとレセプタクルとの２つのコンポーネントの組み合わせにおいて、シューズ・スタッドは地面に食い込む部分を含み、この２つのコンポーネントは、２つのコンポーネントの一方にあるネジ山付きソケットに回転させて挿入されるようになっている、他方のコンポーネント上のネジ山付きスピゴットを備える多条ネジ結合と、少なくともスピゴットが完全にソケットに挿入されてアセンブリを形成するときには、このアセンブリのネジがゆるむのを阻止するために、互に噛み合う状態になるように配置されている、コンポーネントをロックする手段とにより互いに固定されるようになっており、またスタッドとレセプタクルとは、レセプタクルに対するスタッドの最初の位置を決める手段と、レセプタクルに対するスタッドの最終の位置を決める手段とを有する。
【０００９】
このように、レセプタクルに対するスタッドの最初の配向、および最終の配向のいずれも決められる。したがって、レセプタクル、従ってまたシューズ・ソールに対してスタッドを特定の配向とすることができる。
【００１０】
多条ネジ山は、スタッドを取り付けまた取り外すのに必要なターンの数を減らすために、２つ、３つあるいはより多くの条数をもつことができる。一実施形態において、ネジ山は３条ネジ山であり、別の実施形態において、それは６条ネジ山である。これでスタッドを半ターンで取り付けることができ、これにより取外しと取付けが容易になる。
【００１１】
ネジ山と溝との一方が他方と異なっていてそれぞれがキーおよび相補的なキー溝となるネジ結合により、レセプタクルに対するスタッドの最初の位置を決める手段を提供できる。
【００１２】
キーは、一方のコンポーネントに拡張されたネジ山を、また他方のコンポーネントにおける、対応する拡張された溝を備えることができる。ネジ山と溝とは、好ましくは、半径方向に拡張される。拡張されたネジ山は拡張された溝にのみ嵌るであろうから、こうして最初の位置が決められる。ネジ結合の強度はこのことによりたいした影響を受けない。
【００１３】
別法として、キーは、一方のコンポーネントにブリッジ化ネジ山（ｂｒｉｄｇｅｄ　ｔｈｒｅａｄ）を、また他方のコンポーネントに除去されたネジ山を備えることができる。このように、一方のコンポーネント上では２つの隣接するネジ山の頂の間のスペースが埋められ、また他方のコンポーネント上では２つの隣接する谷底の間のネジ山が除去される。これにより、ソケットに対する、必要とされる最初のスタッドの配向が得られるが、ネジ結合の強度にたいした影響はない。
【００１４】
キーがレセプタクル上に、そしてキー溝がスタッド上にあると好都合である。別法としてキーがスタッド上に、キー溝がレセプタクル上にあってもよい。
ロックする手段は、好ましくは、スピゴットが予め決められた軸方向の位置までソケットにねじ込まれたとき、相互に噛み合うように作用する、スタッドおよびレセプタクル上の、半径方向に面を向ける、ロックする構造体を備える。ロックする構造体の一方は少なくとも１つの半径方向の突起を備えるが、他方は半径方向に面を向ける導入ランプ（傾斜路）、リセスおよびストップ手段を少なくとも備える。突起は導入ランプに乗って進み、その後リセスにカチっと嵌り、次にストップ手段と噛み合って、スタッドがそれ以上ソケットにねじ込まれないようにする。ロックする手段では、予め決められたトルクを加えることで、ロックする構造体の弾性降伏により、スタッドをねじって外すことが可能である。このロックする手段は、突起がリセスにパチっと嵌るとき、それがカチっと音をたて、これを感じ、かつ／または聞くことができるので、ロック状態になったしるしを提供できるという利点がある。このロックする手段はまた、スタッドとレセプタクルの間の結合強度を上げる。好ましくは、２つのロックする構造体が備えられるが、４つあるいはそれ以上の構造体を備えることも可能である。
【００１５】
スタッドが半ターンで取付けられ、２つのロックする構造体を備える場合、ロックする構造体は異なる直径上にあることができる。これは疑いようのない初期スタッド配向を与える助けとなり、ネジ山の食い違い（ｃｒｏｓｓ−ｔｈｒｅａｄｉｎｇ）が確実に起こりえないようにする。
【００１６】
突起は異なる直径上にあり、ランプ、リセスおよびストップ手段は対応する直径の環状チャネル壁面に形成される。
別法として、ロックする手段は、一方のコンポーネントから軸方向に延びる複数の柱（ｐｏｓｔ）からなるリングおよび他方のコンポーネント上で半径方向に突き出る複数の歯からなるリングである、ロックする構造体を備えてもよく、スピゴットがソケットに予め決められた軸方向の位置までねじ込まれたときに、歯と柱の噛み合いが柱に弾性的な反りを生じさせ、そして柱の間に歯が噛み合うことでロックする手段を相互に噛み合わせるように配置されている。
【００１７】
いずれのタイプのロックする手段であれ、レセプタクルに対するスタッドの正確な最終の配向を確実におこなうために、ロックする構造体をキーおよびキー溝に対して取り巻くように配置することは容易である。したがって、スタッドは特定の配向とされるスタッド、特に非回転対称スタッドであることが可能である。
【００１８】
レセプタクルに対してスタッドを配向させる方法もまた本発明の一部分を構成する。本発明の第２の態様は特にシューズ・スタッドに関する。
本発明の第２の態様によれば、多条ネジ山付きソケットをもつレセプタクルを有するスタッド付き履物製品に用いられるスタッドは、ソケットのネジ山に相補的な多条ネジ山のあるスピゴットを有し、スピゴットを回転させてソケットに挿入することによりスタッドがソケット内に固定されるようになっており、スピゴットはらせんキーおよび相補的なキー溝のうちの一方のコンポーネントを有し、他方のコンポーネントはレセプタクルに設けられ、らせんキーおよびキー溝は、スピゴットをソケットに挿入し始める時のレセプタクルに対するスピゴットの位置を定める。
【００１９】
好ましくは、キー溝はスピゴットに設けられるが、そこに代わりにキーがあってもよい。
キー溝は、好ましくは、スピゴット上で、他方のあるいはその他の溝と異なる寸法のネジ山の溝を備える。この溝は拡張された溝であってもよい。溝を、半径方向にあるいはネジ山の除去により拡張することができる。
【００２０】
スタッドはまた通常ロックする手段の一方のコンポーネントを備え、相補的な他方のコンポーネントは、ソケットにスタッドを受け入れるレセプタクル上に設けられる。スタッドは特定の配向とされるスタッド、特に非回転対称スタッドであることができる。
【００２１】
本発明の第３の態様はスタッド付き履物製品に組み込まれるレセプタクルに関し、このレセプタクルはスタッドを受け入れるようになっている。
本発明の第３の態様によれば、スタッド付き履物製品に組み込まれるレセプタクルは、シューズ・スタッドのスピゴットを受け入れるようになっている多条ネジ山付きソケットをもち、スピゴットはソケットのネジ山に相補的な多条ネジ山を有し、スピゴットを回転させてソケットに挿入することによりソケット内にスタッドが固定されるようになっており、レセプタクルはらせんキーおよび相補的なキー溝のうちの一方のコンポーネントを有し、他方のコンポーネントはスピゴットに設けられ、らせんキーおよびキー溝は、スピゴットをソケットに挿入し始める時のレセプタクルに対するスピゴットの位置を定める。
【００２２】
好ましくは、キーはレセプタクルに設けられるが、そこに代わりにキー溝があってもよい。
キー溝は、好ましくは、他方のあるいはその他の溝と異なる寸法の、ソケット上のネジ山を備える。このネジ山は拡張されたネジ山であってもよい。ネジ山を、半径方向に拡張するか、あるいはブリッジ化ネジ山により形成することができる。
【００２３】
レセプタクルはまた通常ロックする手段の一方のコンポーネントを有し、それに相補的なコンポーネントはスタッド上に設けられる。
本発明の様々な態様が、例のためにのみ添付図に示されている。
【００２４】
図１から４は、フットボール・シューズ（示されていない）などのスポーツ・シューズに用いるのに適するスタッド１を示す。スタッド１は、スポーツ・シューズのソールあるいはヒールに作り込まれているかあるいは別の仕方で取付けられた、図５および６に示されるレセプタクル２に、回転させて挿入され、受け入れられるようになっている。
【００２５】
スタッド１はプラスチック材料の一体成形体であり、楕円形フランジ３をもつ。地面に食い込むスパイク４は、フランジ３の下側から突き出るが、オネジ付きスピゴット５は上側に突き出る。図１はスパイク４が非回転対称形であることを示し、フランジ３の長軸に沿って延びており、１つの端部６で丸くなっており、他方の端部７の１点へと次第に細くなっている。スパイク４には、その地面に食い込む端部にリセス８があり、平形シリンダ・ボア９がリセス８からスピゴット５を貫き上に延びる。スタッド１を完成させるために、適当な部品がリセス８およびボア９に挿入される。スパイクは、矢印形などの他の何らかの非回転対称形でありうるということが認められるであろう。スパイク４は非回転対称であるため、使用に際してそれをシューズ・ソールに対して配向させる必要がある。レセプタクル内のスタッド１の配向はこの第１の段階である。
【００２６】
スピゴット５上のオネジは６条ネジ山であり、比較的急勾配のらせん角をもち、その結果、スタッド１を１回転で挿入するのに必要なあらゆる部分を設けることも可能であるが、スタッド１を半ターンでレセプタクル２に挿入することができる。レセプタクル２に対するスタッド１の最初の位置を定めるために、スピゴット５上のネジ山１０の１つが除去されて、レセプタクル２のネジ山で形作られた相補的なキー１２のためのらせんキー溝１１を形作っている。
【００２７】
ネジ山の比較的急勾配のらせん角のために、ネジがゆるんで外れることに対するスタッドの摩擦抵抗は比較的小さい。したがって、スタッド１およびレセプタクル２にはロックする手段１３があり、これはスタッド１をレセプタクル２に固定し、レセプタクル２に対するスタッドの最終的な位置を定める役目をする。
【００２８】
このように、スタッド１は中心を挟んで正反対に位置する１組の突起１４を備える、ロックする構造体をもつ。それぞれの突起１４は、スピゴット５から半径方向に間隔を空けて、それ自体フランジ３から軸方向に突き出るリング１５から軸方向に延びる部分円柱ウェブ（ｗｅｂ）を備える。それぞれの突起１４は、ウェブの（ネジを締める方向における）先導端に設けられる軸方向に延びるリブとしての半径方向外向きに延びるロックする突起１６をもつ。リブの先導する側の面１７は、リブの平坦な外側表面１８およびウェブの平坦な先導端面１９に連結する滑らかで凸な輪郭の隅部となるように仕上げられている。リブの後続側表面２０は平坦で、外側表面１８と、また連結する箇所でウェブの円柱外側表面とほぼ直角をなす。ウェブの後続側端部には角度がついており、その結果、ウェブがリング１５に連結するところの、ウェブの低い方の端部の周方向の寸法は、その高い方の端部での周方向の寸法より大きい。リング１５は、わずかに直径の異なる２つの半円となるように、直径に段があり、２つの突起１４のスピゴット５からの半径方向の間隔がわずかに異なるように、一つの突起１４がそれぞれの半円から突き出ており、またそれらの軸方向の高さはスピゴット５の軸方向の高さより低い。リング１５の軸方向の高さは、スピゴット５の軸方向の高さの約半分である。
【００２９】
レセプタクル２（図５および６を参照）はまたプラスチック材料の一体成形体である。レセプタクルには円形上部プレート３０があり、そこから中央ボス３１が垂れ下がっている。環状の固定用フランジ３２はボス３１を越えて半径方向外向きに突き出る、プレート３０の一部分３３により形作られる。部分３３には、シューズ・ソールあるいはヒールにフランジ３２を固定する助けとなる４つの弓形の穴３４がある。
【００３０】
ボス３１は、丈夫な内側円柱壁体３５および比較的薄くまたわずかに可撓性のある外側壁体３６を備える。内側壁体３５は、メネジをもち、スピゴット５を受け入れるようになっているソケット３７を形作る。ソケット３７にはまた、６条ネジ山があり、２つの隣接するネジ山の間のブリッジ化（すなわち、２つの隣接する谷底の間のネジ山を取り除くことによりによりスタッド１上に形作られたキー溝１１に相補的であるように、２つの隣接するネジ山の頂の間を埋めること）により形作られたキー１２がある。
【００３１】
壁体３５の半径方向外側の表面３８および外側壁体３６の半径方向内側の表面３９は、直径に段があり、その結果、直径の異なる２つの部分環スペース４０、４１がそれらの間に定められる。スペース４０、４１の直径は突起１４の直径に対応しているので、それぞれの突起１４を環状スペース４０、４１の一方にのみ受け入れさせることができる。スペース４０、４１は中心を挟んで正反対に位置する１組の軸方向のストップ４２により引き離されており、ストップはロックする手段の一部分を構成する。
【００３２】
レセプタクルのロックする手段は、半径方向内側に面を向ける外側壁体３６の内側表面３９上に形成された、その壁体上の２つのロックする構造体として与えられる。それぞれの構造体には、円周方向の一方の側面で導入ランプ４５と、また他方の側面でストップ４２と境をなすリセス４４がある。ランプ４５は壁体３６の円周の多くてほぼ８分の１にわたり、壁体３５、３６の軸方向高さの約３分の１の軸方向高さである。これによりソケット３７へのスピゴット５の挿入の丁度最後に、確実にロックする手段が作用するようになる。
【００３３】
使用に際して、レセプタクル２はスポーツ・シューズのソールまたはヒールに組み込まれる。通常レセプタクル２はシューズ・ソールまたはヒールに作り込まれる。スタッド１を特定の配向とする必要があるので、レセプタクル２もまたシューズのソールまたはヒールで正確に配向していなければならない。段のある外側壁体３６を型のなかでレセプタクル２を配向させるのに用いることができるし、あるいは他の配向させる特徴（示されていない）をレセプタクル２にもたせることができる。
【００３４】
スタッド１は、スピゴット５をソケット３７に挿入することにより取り付けられ、突起１４は環状スペース４０、４１に同時に受け入れられる。キー１２およびキー溝１１のために、スピゴット５とソケット３７のネジ山が噛み合いを始められる唯一の位置が存在する。スタッド１の回転によりスピゴット５はソケット３７に、また突起１４は環状スペース４１、４１に引き込まれる。ネジ山の形状は、スタッド１を完全に挿入するのに半回転しか要しないようなものである。挿入の最後の４分の１で、ロックする突起１６の動きが導入ランプ４５と噛み合い、次にランプ４５とストップ４２の間のリセス４４にパチっと嵌まる。したがって、さらなる回転は、突起１６とストップ４２の噛み合いにより妨げられている。外側壁体３６は突起１６がランプ４５に乗って進む時に弾性的に変形するが、突起がリセス４４に達すると元の形状に復帰する。突起１６はリセス４４にパチっと嵌まり、それらはカチッと音をたて、それを感じ、かつ／または聞くことができ、スタッド１の挿入が完了したことを知らせる。
【００３５】
レセプタクル２に対するスタッド１の最初の位置はキー１２およびキー溝１１により、またより少ない度合いで突起１４により決められる。最終の位置はロックする手段により決められ、こうして確実に最終の位置においてスタッド１をレセプタクル２に対して正確に配向させる。
【００３６】
図７から１０は変更されたスタッド１およびレセプタクル２を示し、対応する参照番号が対応する部分に宛てられている。図７から１０の実施形態の主な違いは、スタッド上の突起１４が同一の直径上にあるため、構造が単純化されているということである。突起１４の形状は第１の実施形態と同一であり、類似のロックする突起１６をもつ。
【００３７】
レセプタクル２はスタッド１に合うように変更されている。レセプタクル２において、壁体３５の半径方向外側の表面３８および外側壁体３６の半径方向内側の表面３９は、ここではそれぞれが一定の直径の表面であり、そのため部分環スペース５０は同一であり、ストップ４２の間で定められている。固定フランジ３２は円形でなく楕円形であり、穴３４は変更されている。
【００３８】
他の点で、図７から１０の実施形態の構造および作用は図１から６のものと同じである。
いずれかの実施形態のある変更（示されていない）において、らせんキー１２をスタッド１上に、またキー溝１１をレセプタクル２上に備えてもよい。
【００３９】
別の変更（示されていない）において、それらがスタッド１の挿入の最後に初めて噛み合うようになるのである限り、さらなる確実な固定のために２つ以上のロックする構造体をもたせることが可能であろう。
【００４０】
図１１から１４は本発明の別の実施形態を示し、図１１および１２のスタッド１０１は、ゴルフ・シューズ（示されていない）に用いるのに適している。スタッド１０１は、図１３および１４に示されるレセプタクル１０２に、回転させて挿入され、受け入れられるようになっており、レセプタクルはゴルフ・シューズのソールあるいはヒールに作り込まれているか、あるいは別の仕方で取り付けられている。
【００４１】
スタッド１０１はプラスチック材料の一体成形体であり、円形のフランジ１０３をもつ。フランジ１０３の下側には地面に食い込む構造体１０４を備える。
示されるように、構造体１０４は部分球面であるが、それは１つまたは複数の地面に食い込むスパイク（示されていない）などの従来の何らかの形であってよい。構造体１０４は回転対称あるいは非回転対称であってよく、そのためレセプタクルに対してそれを配向させるような手段が備わっている。
【００４２】
オネジ付きのスピゴット１０５はフランジ１０３の上側から突き出る。スピゴット１０５上のオネジは３条ネジ山で、比較的急勾配のラセン角をもつので、スタッド１０１をレセプタクル１０２に半ターンで挿入することができる。この実施形態において、レセプタクル１０２に対するスタッド１０１の最初の位置を定めるために、スピゴット１０５上のネジ溝１１１の１つが他の２つ１１０より半径方向に深くなっていて、レセプタクル１０２のネジ山の相補的なキー１１２に対するキー溝を形成する。
【００４３】
前記の実施形態におけるように、ネジ山の比較的急勾配のらせん角のために、スタッド１０１のネジが外れることに対する摩擦抵抗は比較的小さい。したがって、スタッド１０１およびレセプタクル１０２にはロックする手段１１３があり、それがスタッドをレセプタクルに確実に固定し、レセプタクルに対する最終的な位置を定める。ゴルフ・シューズ・スタッドでは使用中にスタッドに加わる力は一般に小さく、レセプタクル１０２にスタッド１０１を確実に固定することはフットボール・スタッドの場合ほど重要ではないので、ロックする手段１１３は実質的に図１から１０のものと異なる。したがって、ロックする手段１１３は、スタッド１０１上に複数の弾性柱１１４からなるリングを備え、レセプタクル１０２上の複数の歯からなるリングと協働する。
【００４４】
弾性柱１１４はフランジ１０３の上側から軸方向に延びる。柱１１４はスピゴット１０５を囲み、スピゴット１０５と同心のリングを形成する。６つの柱１１４があり、スタッド１０１の軸の回りに均等に分布している。それぞれの柱１１４の軸方向の広がりはスピゴット１０５の軸方向高さの約半分であり、それぞれの柱１１４は半径方向において弾性的である。それぞれの柱１１４の半径方向外側の表面１１５は下方の部分円柱部１１６、上方の部分円錐部１１７をもつ。それぞれの柱の上部表面１１８はまたスピゴット１０５に向かって上方に角度をなしており、そのためそれぞれの柱１１４の半径方向内側の表面１１９は最大の軸方向の高さをもつ。それぞれの柱１１４の半径方向内側表面１１９は一般に、スピゴット１０５に向かって全体として凸であり、中央の凸部分１２０、スピゴット１０５に向かって凹形状をもつ第１の周辺端部１２１、およびスピゴット１０５に向かって凸形状をもつ第２の周辺端部１２２をもつ。スタッド１０１の挿入時に、第１の端部１２１は先導端部、第２の端部１２２は後続端部であり、スタッドが外されるときはその逆である。第１の端部１２１の凹形状はスタッド１０１の挿入時に抵抗を減らし、第２の端部１２２の凸形状は取り外しの抵抗を大きくする。
【００４５】
図１３および１４のレセプタクル１０２はまたプラスチック材料の一体成形体である。それは円形の上部プレート１３０をもち、それから垂れ下がる中央ボス１３１がある。レセプタクル１０２は上部プレート１３０によりシューズ・ソールあるいはヒールに固定されており、上部プレートにはこの助けとなる穿穴１３４が含まれる。
【００４６】
ボス１３１は丈夫な円筒壁１３５をもち、この内側はスピゴット１０５を受け入れるようになっているメネジ付きソケット１３７を形成する。ソケット１３７も３条ネジをもち、ネジ山１１２の１つが他の２つ１３９に対して半径方向に拡張されており、スピゴット１０５上の拡張された溝１１１に対する相補的なキー溝１１２となっている。図１４から、ネジ山１１２の軸方向の寸法は他の２つ１３９の寸法と同一であるということがわかるであろう。壁体１３５の半径方向外側の表面１３８は、表面１３８から半径方向外向きに突き出る、軸方向に延びる歯１４０のリングであるロックする手段１１３の部分で形作られている。歯１４０はソケット１３７の軸に平行な方向に延びる短くずんぐりしたリブの形になっている。横断面では歯はほぼ三角形であるが、丸い頂部１４１をもつ。歯１４０はソケット軸の回りに均等に分布しており、示された実施形態においては１２個の歯がある。
【００４７】
歯１４０の半径方向突起のソケット軸からの距離は、第１の周辺端部１２１での柱１１４の内側表面のそれに実質的に等しい。したがって、歯１４０と柱１１４の間には半径方向の干渉がありこれがスタッド１０１とレセプタクル１０２の相対的な回転に対する摩擦抵抗を生ずる。
【００４８】
使用に際して、レセプタクル１０２はゴルフまたは他のスポーツ・シューズのソールまたはヒールに、通常は成形により組み込まれる。スタッド１０１を特定の配向とする必要がある場合、レセプタクル１０２もまたシューズ・ソールまたはヒールに正確に配向させなければならない。拡張されたネジ山１１２を配向の特徴として用いることができ、あるいは他の特徴（示されていない）を備えることもできる。
【００４９】
スタッド１０１は、スピゴット１０５をソケット１３７に挿入することにより取り付けられる。拡張されたネジ山１１２および拡張された溝１１１のために、スピゴット１０５とソケット１３７のネジ山が噛み合いを始められる唯一の位置が存在する。スタッド１０１の回転によりスピゴット１０５はソケット１３７に引き込まれ、またスピゴット１０５がねじ込まれると、歯１４０は柱１１４と噛み合う。回転は歯１４０が柱１１４と次々に噛み合うことで抵抗を受ける。歯１４０は実質的に圧縮できないため、歯１４０が柱１１４を越えて動けることができるように、柱１１４は弾性的に半径方向に反れる。柱１１４の半径方向内側の表面形状は比較的容易に柱１１４を越えて歯１４０が動けることを可能にするが、スピゴット１０５がソケット１３７にさらに入ると、柱１１４を反らせることは容易でなくなる。ソケット１３７に対してスピゴット１０５を１８０°回転させることで、それぞれの歯１４０が３番目の柱１１４を通過したときに定められる位置で、スタッド１０１はレセプタクルに完全に挿入され、歯１４０と柱１１４の相互噛み合いにより確実に固定される。
【００５０】
このように、前記実施形態におけるように、レセプタクル１０２に対するスタッド１０１の最初の位置は、キーネジ山１１２とキー溝１１１により決められる。最終の位置はネジ山の長さとロックする手段１１３により決められて、確実に最終の位置でスタッド１０１をレセプタクル１０２に対して正確に配向させる。
【００５１】
図１から１０のロックする手段１３の代わりに、図１１から１４のロックする手段１１３を用いること、およびその逆が可能である。
図１１から１４の変更（示されていない）において、スタッド１０１に拡張されたネジ山を、またレセプタクル１０２に拡張された溝をもたせることができる。
【図面の簡単な説明】
【図１】
シューズ・スタッドの下面図である。
【図２】
図１のシューズ・スタッドの上面図である。
【図３】
図１の線３−３に沿う断面である。
【図４】
図１の線４−４に沿う断面である。
【図５】
図１から４のスタッドに対するレセプタクルの下面図である。
【図６】
図５の線６−６に沿う断面である。
【図７】
図２、３と似ているが、変更形態を示す。
【図８】
図２、３と似ているが、変更形態を示す。
【図９】
図５、６と似ているが、図７、８のスタッド用に変更されたレセプタクルを示す。
【図１０】
図５、６と似ているが、図７、８のスタッド用に変更されたレセプタクルを示す。
【図１１】
図７、８に似ているが、異なるタイプのスタッドを示す。
【図１２】
図７、８に似ているが、異なるタイプのスタッドを示す。
【図１３】
図９、１０に似ている、図１１、１２のスタッド用に変更されたレセプタクルを示す。
【図１４】
図９、１０に似ている、図１１、１２のスタッド用に変更されたレセプタクルを示す。
【国際公開パンフレット】
2004513691.tif 000003
2004513691.tif 000004
2004513691.tif 000005
2004513691.tif 000006
2004513691.tif 000007
2004513691.tif 000008
2004513691.tif 000009
2004513691.tif 000010
2004513691.tif 000011
2004513691.tif 000012
2004513691.tif 000013
2004513691.tif 000014
2004513691.tif 000015
2004513691.tif 000016
2004513691.tif 000017
2004513691.tif 000018
2004513691.tif 000019
2004513691.tif 000020
2004513691.tif 000021
2004513691.tif 000022
2004513691.tif 000023
2004513691.tif 000024
2004513691.tif 000025
2004513691.tif 000026
2004513691.tif 000027
2004513691.tif 000028
【国際調査報告】
2004513691.tif 000029
2004513691.tif 000030
2004513691.tif 000031
2004513691.tif 000032